【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
収容しているＰＴＰシートの識別データを読み取り可能な複数の錠剤取出ユニットを有する錠剤供給装置と通信可能に接続されるコンピュータであって、
錠剤を手撒きする錠剤マスへ供給すべき錠剤種別を特定可能な情報を記憶する錠剤記憶手段と、
前記錠剤取出ユニットから、前記錠剤取出ユニットに収容されたＰＴＰシートの識別データを取得する取得手段と、
前記取得手段で取得された前記識別データに対応する錠剤種別が、前記記憶手段に記憶される前記情報に基づいて、前記錠剤マスへ供給すべき錠剤種別であるかを判定する判定手段と、
前記判定手段により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知手段と、
を備えることを特徴とするコンピュータ。
【請求項２】
前記記憶手段は、前記錠剤マスへ供給すべき錠剤種別として、割れ易い錠剤種別を記憶していることを特徴とする請求項１に記載のコンピュータ。
【請求項３】
前記取得手段は、前記錠剤取出ユニットごとに設けられた読取部を介して、ＰＴＰシートの識別データを取得することを特徴とする請求項１または２に記載のコンピュータ。
【請求項４】
前記読取部は、ＰＴＰシートが投入される位置に設けられた画像を撮像する撮像手段およびＰＴＰシートに設けられたバーコードを読み取る読取手段の少なくとも一方であることを特徴とする請求項３に記載のコンピュータ。
【請求項５】
前記記憶手段は、割線がある錠剤、口腔内崩壊性の錠剤および液体を含んだカプセル錠のいずれかの場合には、当該情報とともにこれらの錠剤は錠剤マスへ供給すべき錠剤種別として記憶しており、
前記判定手段によって前記錠剤マスへ供給すべき錠剤種別であると判定された場合に、前記取得手段で取得された前記識別データに対応する錠剤種別が、前記割線がある錠剤、前記口腔内崩壊性の錠剤および液体を含んだカプセル錠のいずれであるかを、前記記憶手段に記憶される情報に基づいて特定する特定手段と、
をさらに備え、
前記通知手段は、前記錠剤マスから供給すべき錠剤種別である旨の通知と合わせて、前記特定手段で特定された結果を通知することを特徴とする請求項１乃至４のいずれか１項に記載のコンピュータ。
【請求項６】
前記判定手段により前記錠剤マスへ供給すべき錠剤種別ではないと判定された場合には、前記受け付けた錠剤種別を収容しているＰＴＰシートの錠剤を取出ユニットから供給する指示データとして登録するユニット登録手段をさらに備えることを特徴とする請求項１乃至請求項５のいずれか１項に記載のコンピュータ。
【請求項７】
前記識別データが前記取得手段により取得できたかいなかを判定する第２の判定手段と、
前記投入口に投入されたＰＴＰシートから錠剤を取り出すユニットを設定する画面を表示するユニット設定表示手段と、
をさらに備え、
前記第２の判定手段は、前記ユニット設定表示手段により前記画面が表示されている間に、前記識別データが前記取得手段により取得できたかを判定することを特徴とする請求項１乃至請求項６のいずれか１項に記載のコンピュータ。
【請求項８】
収容しているＰＴＰシートの識別データを読み取り可能な複数の錠剤取出ユニットを有する錠剤供給装置と通信可能に接続され、錠剤を手撒きする錠剤マスへ供給すべき錠剤種別を特定可能な情報を記憶する錠剤記憶手段を備えたコンピュータの制御方法であって、
前記錠剤取出ユニットから、前記錠剤取出ユニットに収容されたＰＴＰシートの識別データを取得する取得工程と、
前記取得工程で取得された前記識別データに対応する錠剤種別が、前記記憶手段に記憶される前記情報に基づいて、前記錠剤マスへ供給すべき錠剤種別であるかを判定する判定工程と、
前記判定工程により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知工程と、
を備えることを特徴とする制御方法。
【請求項９】
収容しているＰＴＰシートの識別データを読み取り可能な複数の錠剤取出ユニットを有する錠剤供給装置と通信可能に接続され、錠剤を手撒きする錠剤マスへ供給すべき錠剤種別を特定可能な情報を記憶する錠剤記憶手段を備えたコンピュータに搭載可能なプログラムであって、
前記コンピュータを、
前記錠剤取出ユニットから、前記錠剤取出ユニットに収容されたＰＴＰシートの識別データを取得する取得手段、
前記取得手段で取得された前記識別データに対応する錠剤種別が、前記記憶手段に記憶される前記情報に基づいて、前記錠剤マスへ供給すべき錠剤種別であるかを判定する判定手段、
前記判定手段により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知手段、
として機能させることを特徴とするプログラム。
【請求項１０】
収容しているＰＴＰシートの識別データを読み取り可能な複数の錠剤取出ユニットと、
錠剤を手撒きする錠剤マスへ供給すべき錠剤種別を特定可能な情報を記憶する錠剤記憶手段と、
前記錠剤取出ユニットから、前記錠剤取出ユニットに収容されたＰＴＰシートの識別データを取得する取得手段と、
前記取得手段で取得された前記識別データに対応する錠剤種別が、前記記憶手段に記憶される前記情報に基づいて、前記錠剤マスへ供給すべき錠剤種別であるかを判定する判定手段と、
前記判定手段により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知手段と、
を備えることを特徴とする錠剤供給装置。
【請求項１１】
収容しているＰＴＰシートの識別データを読み取り可能な錠剤取出ユニットを複数と、錠剤を手撒きする錠剤マスへ供給すべき錠剤種別を特定可能な情報を記憶する錠剤記憶手段と、を備えた錠剤供給装置の制御方法であって、
前記取出ユニットから、前記錠剤取出ユニットに収容されたＰＴＰシートの識別データを取得する取得工程、
前記取得工程で取得された前記識別データに対応する錠剤種別が、前記記憶手段に記憶される前記情報に基づいて、前記錠剤マスへ供給すべき錠剤種別であるかを判定する判定工程と、
前記判定工程により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知工程と、
を備えることを特徴とする制御方法。
【請求項１２】
収容しているＰＴＰシートの識別データを読み取り可能な錠剤取出ユニットを複数と、錠剤を手撒きする錠剤マスへ供給すべき錠剤種別を特定可能な情報を記憶する錠剤記憶手段と、を備えた錠剤供給装置に搭載可能なプログラムであって、
前記錠剤供給装置を、
前記取出ユニットから、前記錠剤取出ユニットに収容されたＰＴＰシートの識別データを取得する取得工程、
前記取得工程で取得された前記識別データに対応する錠剤種別が、前記記憶手段に記憶される前記情報に基づいて、前記錠剤マスへ供給すべき錠剤種別であるかを判定する判定工程と、
前記判定工程により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知工程と、
として機能させることを特徴とするプログラム。
【手続補正２】
【補正対象書類名】明細書
【補正対象項目名】発明の名称
【補正方法】変更
【補正の内容】
【発明の名称】コンピュータ、情報供給装置およびその制御方法とプログラム
【手続補正３】
【補正対象書類名】明細書
【補正対象項目名】０００１
【補正方法】変更
【補正の内容】
【０００１】
本発明は、コンピュータ、情報供給装置およびその制御方法とプログラムに関する。
【手続補正４】
【補正対象書類名】明細書
【補正対象項目名】０００８
【補正方法】変更
【補正の内容】
【０００８】
本発明は、収容しているＰＴＰシートの識別データを読み取り可能な複数の錠剤取出ユニットを有する錠剤供給装置と通信可能に接続されるコンピュータであって、錠剤を手撒きする錠剤マスへ供給すべき錠剤種別を特定可能な情報を記憶する錠剤記憶手段と、前記錠剤取出ユニットから、前記錠剤取出ユニットに収容されたＰＴＰシートの識別データを取得する取得手段と、前記取得手段で取得された前記識別データに対応する錠剤種別が、前記記憶手段に記憶される前記情報に基づいて、前記錠剤マスへ供給すべき錠剤種別であるかを判定する判定手段と、前記判定手段により前記錠剤マスへ供給すべき錠剤種別であると判定された場合には、前記錠剤取出ユニットに投入されたＰＴＰシートが収容する錠剤は、前記錠剤マスへ供給すべき錠剤種別である旨を通知する通知手段と、を備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】